(57)【要約】【課題】処置部の回動角度を大きくして操作性を向上させた外科用処置具を提供する。【解決手段】挿入部２の他端部と操作部４とは、互いに当接する突き当て面が挿入部２の軸方向に対して所定の角度をもって形成されている。そして、操作部４を左右方向に最大に回動操作させたときに、挿入部２の他端部と操作部４とが互いの突き当て面で当接されるとともに、挿入部２の軸方向に対する操作部４の回動角度が規定されて、処置部３の左右方向の回動角度が規定される。【選択図】　　図８
2004016662.tif 000002
【特許請求の範囲】
【請求項１】
体内に挿入される細長い挿入部と、
この挿入部の一端部に設けられ、少なくとも２つの軸を中心として回動可能かつ、開閉可能な処置部と、
前記挿入部の他端部に設けられ、少なくとも２つの軸を中心として回動可能かつ、開閉可能な操作部と、
この操作部と処置部とを連結し、操作部の操作力を処置部に伝達して処置部を動作させる第１のリンク棒とこの第１のリンク棒に平行に配置された第２のリンク棒とからなる駆動手段と
を備え、前記処置部の開閉方向に沿った面内を回動する上下方向とこの上下方向に直交した面内を回動する左右方向との少なくとも２つの平面内で前記操作部および処置部が連動して回動可能な外科用処置具において、
前記挿入部の他端部と前記操作部とには、互いに当接する突き当て部が挿入部の軸方向に対して所定の角度をもって形成され、
前記操作部を左右方向に最大に回動操作したときに、前記挿入部の他端部と前記操作部とが互いの突き当て部で当接されるとともに、前記挿入部の軸方向に対する操作部の回動角度が規定されて、前記処置部の左右方向の回動角度が規定されることを特徴とする外科用処置具。
【請求項２】
体内に挿入される細長い挿入部と、
この挿入部の一端部に設けられ、少なくとも２つの軸を中心として回動可能かつ、開閉可能な処置部と、
前記挿入部の他端部に設けられ、少なくとも２つの軸を中心として回動可能かつ、開閉可能な操作部と、
それぞれ両端部に枢軸対を有し、前記処置部を動作させる第１のリンク棒とこの第１のリンク棒に平行に配置された第２のリンク棒とからなり、前記操作部と処置部とを連結し、操作部の操作力を処置部に伝達する駆動手段と
を備え、前記処置部の開閉方向に沿った面内を回動する上下方向とこの上下方向に直交した面内を回動する左右方向との少なくとも２つの平面内で前記操作部および処置部が連動して回動可能な外科用処置具において、
前記第１のリンク棒の両端部に設けられた前記枢軸対と、第２のリンク棒の両端部に設けられた前記枢軸対との少なくとも一方は、それぞれ第２のリンク棒と、第１のリンク棒とに近接する側に偏りをもって設けられ、
前記第１および第２のリンク棒を互いに逆方向に進退させたときに、前記処置部の回動角度を増すようにしていることを特徴とする外科用処置具。
【発明の詳細な説明】
【０００１】
【発明の属する技術分野】
この発明は、外科用処置具に関する。
【０００２】
【従来の技術】
例えば、特願２００１−１１９９０４号明細書には、２方向に回動可能な処置部２０３を有する外科用処置具２０１が示されている。図４１に示すように、この外科用処置具２０１の挿入部２０２は、細長い支持部２０８と、この支持部２０８に沿って２つの駆動棒２０６，２０７とが配設されている。これらの駆動棒２０６，２０７は、破損防止のため、操作部２０４を回動させて処置部を回動させたときにも互いに接触することなく配設されている。駆動棒２０６，２０７間の距離ａは、常に０よりも大きい。
【０００３】
また、この外科用処置具２０１の処置部２０３は、上下方向、すなわち、第１および第２の処置片２１２，２１４が互いに対して開閉する方向の上下方向の面内での最大回動角が約９０°である。この面に直交した左右方向の最大回動角は、水平状態に対して±５０°から±６０°程度となっている。
【０００４】
また、例えば内視鏡下で冠状動脈血行再建術（以下、ＣＡＢＧという）を行うには、把持鉗子２６８を用いている。図４２に示すように、鉗子２６８を用いて直径が２ないし３ｍｍ程度の血管２７０の縫合などを行う場合について説明する。この鉗子２６８では、湾曲針２７３の先端を斜めに切断した血管２７０の内壁側から外側に向けて貫通させるには、鉗子２６８を血管２７０の内部に入れて、湾曲針２７３の先端から外側に貫通させる。そして、一旦湾曲針２７３を離した後、湾曲針２７３の先端を再把持して上側に引っ張って湾曲針２７３の基端に接続された糸を血管２７０の内壁から外方に向かって通している。
【０００５】
【発明が解決しようとする課題】
このような鉗子２６８を用いて血管を縫合するには、鉗子２６８の先端が回動しないので、鉗子２６８を大きく傾けたり、上下方向に鉗子２６８全体を動かしたりして縫合を行う必要がある。このため、２ｍｍないし３ｍｍ程度の径が小さい血管２７０を縫合するなどの細かい処置を行うには不向きとなっている。また、上述のように鉗子２６８の先端は回動しないので、湾曲針２７３の湾曲度合に沿って鉗子２６８を微細に動かす必要があり、術者にとって大きな負担となっていた。このため、手術に時間がかかり、患者に対しても負担をかけることとなっていた。
【０００６】
また、図４１に示す特願２００１−１１９９０４号明細書に記載された外科用処置具２０１では、処置部を回動させることができるので図４２に示す鉗子２６８よりもスムーズにこのような処置を行うことができるが、最大回動角度が所望の角度よりも小さい。このため、多数回の湾曲針２７３の持ち替えなどの作業が必要で、血管を縫合するには時間がかかってしまう。
【０００７】
さらに、この外科用処置具２０１は処置部２０３の回動位置によって湾曲針２７３の把持力が変化する可能性がある。例えば心臓血管外科用などの繊細な湾曲針２７３を把持して処置を行うと、湾曲針が思わぬ方向に回転する可能性があり、使い勝手が悪かった。
【０００８】
この発明はこのような課題を解決するためになされたもので、操作性を向上させて手術時間を短縮することができる外科用処置具を提供することを目的としている。
【０００９】
【課題を解決するための手段】
上記課題を解決するために、この発明の、体内に挿入される細長い挿入部と、この挿入部の一端部に設けられ、少なくとも２つの軸を中心として回動可能かつ、開閉可能な処置部と、前記挿入部の他端部に設けられ、少なくとも２つの軸を中心として回動可能かつ、開閉可能な操作部と、この操作部と処置部とを連結し、操作部の操作力を処置部に伝達して処置部を動作させる第１のリンク棒とこの第１のリンク棒に平行に配置された第２のリンク棒とからなる駆動手段とを備え、前記処置部の開閉方向に沿った面内を回動する上下方向とこの上下方向に直交した面内を回動する左右方向との少なくとも２つの平面内で前記操作部および処置部が連動して回動可能な外科用処置具においては、前記挿入部の他端部と前記操作部とには、互いに当接する突き当て部が挿入部の軸方向に対して所定の角度をもって形成され、前記操作部を左右方向に最大に回動操作したときに、前記挿入部の他端部と前記操作部とが互いの突き当て部で当接されるとともに、前記挿入部の軸方向に対する操作部の回動角度が規定されて、前記処置部の左右方向の回動角度が規定されることを特徴とするものである。
【００１０】
また、体内に挿入される細長い挿入部と、この挿入部の一端部に設けられ、少なくとも２つの軸を中心として回動可能かつ、開閉可能な処置部と、前記挿入部の他端部に設けられ、少なくとも２つの軸を中心として回動可能かつ、開閉可能な操作部と、それぞれ両端部に枢軸対を有し、前記処置部を動作させる第１のリンク棒とこの第１のリンク棒に平行に配置された第２のリンク棒とからなり、前記操作部と処置部とを連結し、操作部の操作力を処置部に伝達する駆動手段とを備え、前記処置部の開閉方向に沿った面内を回動する上下方向とこの上下方向に直交した面内を回動する左右方向との少なくとも２つの平面内で前記操作部および処置部が連動して回動可能な外科用処置具においては、前記第１のリンク棒の両端部に設けられた前記枢軸対と、第２のリンク棒の両端部に設けられた前記枢軸対との少なくとも一方は、それぞれ第２のリンク棒と、第１のリンク棒とに近接する側に偏りをもって設けられ、前記第１および第２のリンク棒を互いに逆方向に進退させたときに、前記処置部の回動角度を増すようにしていることを特徴とするものである。
【００１１】
このような構成とすることによって、処置部の左右方向の回動角度が増して回動角度を大きくとることが必要な手技について操作性を向上させて手術時間の短縮が図れる。
【００１２】
【発明の実施の形態】
以下、図面を参照しながらこの発明の実施の形態について説明する。
【００１３】
［第１の実施の形態］
まず、第１の実施の形態について図１ないし図２５を用いて説明する。
【００１４】
（構成）
図１に示すように、この実施の形態にかかる外科用処置具１は、細長い挿入部２と、この挿入部２の先端に配設された処置部３と、挿入部２の基端に配設され、処置部３を操作する操作部４とを備えている。
【００１５】
挿入部２には、細長く、剛性を有する支持部８が配設されている。この支持部８の中央部は、細長の略平板状に形成されている。さらに、この支持部８の軸方向に沿って、開閉リンク機構を構成する第１の駆動棒５と、回動リンク機構を構成する第２および第３の駆動棒６，７（第１および第２のリンク棒）とが平行または略平行に設けられている。第１の駆動棒５は支持部８に対して図１中の下側に設けられている。また、第２および第３の駆動棒６，７は、支持部８に対して図１中の上側に設けられている。なお、第２および第３の駆動棒６，７は、挿入部２の長手方向中心軸に対して対称的に配置されるとともに、軸方向に独立して進退可能となっている。
【００１６】
図２ないし図４に示すように、支持部８の先端部にはすり割部８ａが設けられている。このすり割部８ａには、挿入部２の軸方向と直交する枢支軸９によって左右方向に回動可能な第１の回動板１０が連結されている。この第１の回動板１０には枢支軸９と直交する方向に第１の枢支ピン１１が固定されている。この第１の枢支ピン１１には第１の処置片１２の基端部が回動自在に枢支されている。また、第１の枢支ピン１１の近傍に位置する第１の処置片１２の部位は屈曲部１２ａとして形成されている。この屈曲部１２ａには後述する手段によって第２および第３の駆動棒６，７が連結されている。
【００１７】
第１の処置片１２の中間部には、第１の開閉枢支ピン１３によって第２の処置片１４が回動自在に連結されている。これにより、第１および第２の処置片１２，１４は、第１の開閉枢支ピン１３を支点として、互いに回動可能となっている。第２の処置片１４の基端部には、左右方向（挿入部２の軸方向と直交する方向）に延びる第１の連結ピン１５を介して、第１の連結部材１６の一端が回動自在に連結されている。第１の連結部材１６の他端は、挿入部２の軸方向と直交する第２の連結ピン１７を介して、第２の連結部材１８に連結されている。また、第２の連結部材１８の他端は、左右方向に延びる第３の連結ピン１９を介して、第１の駆動棒５の先端部に回動自在に連結されている。
【００１８】
また、第１の処置片１２の屈曲部１２ａには、左右方向に延びる第２の枢支ピン２０を介して、Ｔ字状の第２の回動板２１が連結されている。この第２の回動板２１の基端側は左右方向に幅広であり、第２の回動板２１の基端側には、挿入部２の軸方向と直交する第１の回動ピン（枢軸）２２と第２の回動ピン（枢軸）２３とが左右方向に離間して設けられている。また、この第２の回動板２１は、幅広部に対して直交して所定の軸方向に延びる直交部を有する。この直交部の先端には、上述した第２の枢支ピン２０が配設されている。そして、第１の回動ピン２２は第２の駆動棒６に連結され、第２の回動ピン２３は第３の駆動棒７に連結されている。
【００１９】
また、図４に示すように、第１の処置片１２は把持面１２ｂを有する。また、第２の処置片１４は把持面１４ｂを有する。この場合、第１および第２の処置片１２，１４が互いに閉じたときには、これらの把持面１２ｂ，１４ｂは、互いに略平行に対向して位置しており、協働して把持対象物を把持可能となっている。なお、これらの把持面１２ｂ，１４ｂには、必要に応じて例えば放電加工やエッチングなどにより微細な粗面が形成される凹凸加工が施されている。これにより、把持対象物である縫合針、縫合糸、生体組織等を確実に把持することができるようになっている。
【００２０】
次に、図５ないし図７を参照しながら、操作部４について説明する。
これらの図５ないし図７に示すように、挿入部２の基端部においても、第１の駆動棒５はその基端部が挿入部２の長手中心軸より下側に偏って配置されている。また、第２および第３の駆動棒６，７はその基端部が挿入部２の長手中心軸より上側で左右対称的に配置されている。そして、第１の駆動棒５は、後述する構成を介して、第３の連結部材４１に接続される（図６参照）。また、第２および第３の駆動棒６，７は、後述する構成を介して、第４の回動板４６に接続されている（図６参照）。
【００２１】
図５ないし図７に示すように、支持部８は、挿入部２の基端部では、後方（基端側）に向かって突出している。また、図６および図７に示すように、支持部８には、挿入部２の軸方向と直交する第２の枢支軸３２を有する第１の枢支部３３が設けられている。この第１の枢支部３３には、第２の枢支軸３２を中心に左右に回動可能な第３の回動板３４が設けられている。
【００２２】
この第３の回動板３４には、左右方向に延びる第３の枢支ピン３５を有する第２の枢支部３６が設けられている。この第２の枢支部３６には、第３の枢支ピン３５を中心に上下に回動可能な第１の操作部としての第１のハンドル３７が連結されている。
【００２３】
図１および図８に示すように、第１のハンドル３７には、第２の開閉枢支ピン３８によって、第２の操作部としての第２のハンドル３９が上下に回動自在に連結されている。
【００２４】
また、図６に示すように、第１の駆動棒５の基端部には、挿入部２の軸方向と直交する（上下方向に延びる）第４の連結ピン４２が設けられており、この第４の連結ピン４２には第３の連結部材４１が左右方向に回動可能に接続されている。この第３の連結部材４１は、第４の連結部材４３の一端に設けられた左右方向に延びる第５の連結ピン４０を介して第４の連結部材４３に連結されており、第５の連結ピン４０を中心に上下に回動できるようになっている。また、第４連結部材４３の他端には、左右方向に延びる第６の連結ピン４４を介して、第２のハンドル３９が上下に回動可能に接続されている。
【００２５】
第１のハンドル３７の第３の枢支ピン３５の近傍には、左右方向に延びる第４の枢支ピン４５が位置されている。この第４の枢支ピン４５は第４の回動板４６の一端に設けられており、この第４の枢支ピン４５には、第３の枢支ピン３５を中心に上下に回動する第１のハンドル３７が回動可能に連結している。第４の回動板４６の他端部には、挿入部２の軸方向と直交する（上下方向に延びる）第３および第４の回動ピン（枢軸）４７，４８が左右に離間して設けられている。そして、第３および第４の回動ピン４７，４８にはそれぞれ、互いに左右に位置する第２の駆動棒６の基端部および第３の駆動棒７の基端部が回動自在に連結されている（図７参照）。
【００２６】
さらに、図１に示すように、第１のハンドル３７には、術者が操作時に親指以外の指を用いて把持する第１のグリップ３７ａが設けられている。この第１のグリップ３７ａには、例えば中指で保持するラウンド部３７ｂが形成されている。さらに、この第１のグリップ３７ａの第２の開閉枢支ピン３８に対して遠位側には、手の腹部に当てる支柱１００が形成されている。この支柱１００の手の腹部に当たる部分は、好ましくは、球状の球部１００ａが形成されている。
【００２７】
また、第２のハンドル３９の第２の開閉枢支ピン３８の近位側は、親指の先端側の腹部を当てるように、平面状に形成されている。遠位側は、親指の腹部に沿って円弧状に親指置き部（膨部）３９ａが形成されている。さらに、この第２のハンドル３９の親指置き部３９ａには、第１のハンドル３７の内部の図示しない歯部に噛合わせられるラチェット８２が形成されている。このため、第１のハンドル３７に対する第２のハンドル３９の回動角度を所定の位置で留めることが可能となっている。
【００２８】
なお、ラチェット８２の噛合わせは、第１のハンドル３７のラウンド部３７ｂの近傍に設けたレバー８３で解除自在となっている。
【００２９】
図８（Ａ）および図９（Ａ）は、第１および第２のハンドル３７，３９をともに上下方向に最大に回動させた状態を示している。すなわち、第１の駆動棒５を処置部３側に押出した状態である。また、第２および第３の駆動棒６，７は、互いに平行に、かつ、進退していないニュートラル状態にある。この状態では、第２および第３の駆動棒６，７間の距離は、例えばａである。また、第１のハンドル３７には、第１の突き当て面６０が形成されている。この第１の突き当て面６０に対して、支持部８の長手方向は略直交している。
【００３０】
また、支持部８の後端部、すなわち、操作部４との連結部側には、２つの第２の突き当て面６１が形成されている。これらの第２の突き当て面６１の間の角度θは、支持部８の長手方向軸に沿って例えば４０°に形成されている。すなわち、ハンドル３７，３９は、左右方向にそれぞれ７０°ずつ回動可能となっている。
【００３１】
図９（Ｂ）は、図９（Ａ）の状態から第２の枢支軸３２を支点としてハンドル３７，３９を左右方向の一方向に最大（７０°）に回動させた状態を示している。すなわち、第１の駆動棒５を処置部３側に押出した状態である。さらに、第２の駆動棒６を操作部４側に引っ張り、第３の駆動棒７を処置部３側に押出した状態である。また、第２および第３の駆動棒６，７は、互いに平行な状態を維持しながら互いに対して当接した状態である。すなわち、上述した距離ａはゼロである。そして、第１の突き当て面６０と、一方の第２の突き当て面６１とは、互いに当接するようになっている。このとき、支持部８の軸方向に対する処置部３の回動角度は、７０°となる。すなわち、第２の回動板２１の幅広部の長手方向と支持部８の軸方向とのなす角は、２０°であり、幅広部と処置片１２，１４とのなす角度は９０°であるので、支持部８の軸方向と処置部３とがなす角度は７０°となる。このとき、第２の回動板２１の第２の枢支ピン２０が配設される直交部の先端部に対して遠位側の端部と、第１の突き当て面６０とは、互いに平行となっている。したがって、この実施の形態の外科用処置具１は、ハンドル３７，３９の回動量に比例して処置部３も回動する。
【００３２】
また、図１０は、第２の回動板２１と、第２および第３の駆動棒６，７との位置関係を示している。図１０に示すように、例えば第３の駆動棒７の第２の回転ピン２３は、第３の駆動棒７の長手方向に対して直交した方向に対して第２の駆動棒６側に近接する側に配置されている。すなわち、図１０中の第３の駆動棒７の幅をＬとし、この第３の駆動棒７の外方から第２の回転ピン２３までの距離Ｌ１とし、第２の回転ピン２３から駆動棒７の内方までの距離Ｌ２とすると、
Ｌ＝Ｌ１＋Ｌ２
で、
Ｌ１−Ｌ２＞０
に形成されている。すなわち、第３の駆動棒７の距離Ｌ２を小さくすると、第２の回転ピン２３と第３の駆動棒７の側部との距離が近づけられる。このため、回動角度を大きくすることが可能となっている。そして、第３の駆動棒７は、第２の回転ピン２３を設けた部分の強度が弱くなるのを反対側の距離Ｌ１を大きくすることによって強度を保つようになっている。
なお、説明を省略するが、第２の駆動棒６についても第３の駆動棒７と同様に形成されていることが好ましい。
【００３３】
したがって、第２および第３の駆動棒６，７を進退させると、Ｌ１＝Ｌ２のときよりも第１および第２の回転ピン２２，２３と第３および第２の駆動棒７，６との間の距離が小さいので、第２の回動板２１の回動角が増す。このため、処置部３をより大きい角度に回動させることができるようになっている。
【００３４】
（作用）
次に、上述のように構成された外科用処置具１の動作について説明する。
【００３５】
図２および図３に示される状態から、第２および第３の駆動棒６，７を同時に前進させると、第２の回動板２１を介して第１の処置片１２の屈曲部１２ａが前方に押し出される。このため、第１の開閉枢支ピン１３を介して第１の処置片１２と連結する第２の処置片１４も、第１の処置片１２と同一の方向に回動する。その結果、第１および第２の処置片１２，１４は、挿入部２の長手中心軸と直交する第１の枢支ピン１１を中心として略水平まで回動する。
【００３６】
次に、第２の駆動棒６を後退させて第３の駆動棒７を前進させると、第１の枢支軸９を支点として第１の回動板１０が右方向（操作部４側から見て）に回動する。このため、第１および第２の処置片１２，１４（処置部３全体）が第１の枢支軸９を支点として右向に回動する。
【００３７】
逆に、第２の駆動棒６を前進させて第３の駆動棒７を後退させると、第１の枢支軸９を支点として第１の回動板１０が左方向（操作部４側から見て）に回動する。このため、第１および第２の処置片１２，１４（処置部３全体）が第１の枢支軸９を支点として左方向に回動する。
【００３８】
また、いずれの回動状態においても、第１の駆動棒５を前進させると、第１の連結部材１６および第２の連結部材１８を介して、第２の処置片１４の基端部が前方に押される。このため、第１の処置片１２に対して第２の処置片１４が第１の開閉枢支ピン１３を支点として回動される。これによって、処置部３が開く。逆に、この開放状態から第１の駆動棒５を後退させると、第１の連結部材１６および第２の連結部材１８を介して、第２の処置片１４の基端部が後方へ引き戻される。このため、第１の処置片１２に対して第２の処置片１４が第１の開閉枢支ピン１３を支点として回動される。これによって、処置部３が閉じる。
【００３９】
このように、この実施の形態によれば、開閉可能な第１および第２の処置片１２，１４を備えた処置部３全体を上下方向および左右方向に回動させることができる。このため、第１および第２の処置片１２，１４を目的部位に容易にアプローチすることができ、処置の自由度を向上させることができる。
【００４０】
実際の操作においては、まず、図１に示される操作部４の第１のハンドル３７の第１グリップ３７ａのラウンド部３７ｂに親指以外のいずれかの指で把持する（かける）。これとともに、第２のハンドル３９の第２のグリップ（親指置き部）３９ａに親指を添える。そして、図８（Ｂ）に示す水平状態から、操作部４の第１および第２のハンドル３７，３９を第３の枢支ピン３５を支点として同時に下方へ９０°回動させる。すると、第４の回動板４６を介して第２および第３の駆動棒６，７が同時に挿入部２に沿って後退する。これとともに、これに連動するように、第４の連結部材４３と第３の連結部材４１とを介して第１の駆動棒５が処置部３側に前進する。したがって、第１の駆動棒５に連結された処置部３側の第１の連結部材１６を介して第１の連結ピン１５が先端側へ突出されるとともに、第２の回動板２１を介して第１の処置片１２の屈曲部１２ａが後方に引き戻される。このため、第１および第２の処置片１２，１４は、相対的に回動することなく、閉じた状態を維持したまま、第１の枢支ピン１１を支点として９０°上向きになるまで回動する。その状態が図１および図８（Ａ）に示されている。
【００４１】
また、逆に、図１および図８（Ａ）に示す状態から、第１のハンドル３７および第２のハンドル３９を第３の枢支ピン３５を支点として上方へ回動させ、第１および第２のハンドル３７，３９を水平にする。すると、第４の連結部材４３と第３の連結部材４１とを介して第１の駆動棒５が操作部４側に後退するとともに、第４の回動板４６を介して第２および第３の駆動棒６，７が同時に挿入部２に沿って前進する。したがって、第１の駆動棒５に連結された処置部３側の第１の連結部材１６を介して第１の連結ピン１５が操作部４側に引き寄せられるとともに、第２の回動板２１を介して第１の処置片１２の屈曲部１２ａが前方に押し出される。このため、第１および第２の処置片１２，１４は、相対的に回動することなく、閉じた状態を維持したまま、第１の枢支ピン１１を支点として略水平まで回動する（真っ直ぐになる）（図８（Ｂ）参照）。
【００４２】
このように、この実施の形態の外科用処置具１では、操作部４側の第１および第２のハンドル３７，３９を第３の枢支ピン３５を支点として上下方向に回動することにより、処置部３を挿入部２の軸方向に沿って真っ直ぐに位置させたり、あるいは、挿入部２の軸方向に対して角度を持たせることができる。
【００４３】
また、第１の操作ハンドル３７と第２の操作ハンドル３９とを相対的に回動させれば、第１および第２の処置片１２，１４が相対的に回動して、処置部３を開くことができる。すなわち、第１のハンドル３７に対して第２のハンドル３９を第２の開閉枢支ピン３８を支点として回動させると（第１のハンドル３７と第２のハンドル３９とを開くと）、第４の連結部材４３および第３の連結部材４１を介して第１の駆動棒５が前後に進退する。したがって、第１の駆動棒５に連結された処置部３側の第１の連結部材１６を介して第１の連結ピン１５が前後に移動する。このため、第１の開閉枢支ピン１３を支点として第２の処置片１４が第１の処置片１２に対して回動し、処置部３が開閉する。
【００４４】
図９（Ｂ）は、第１および第２のハンドル３７，３９を共に左横方向（操作部４側から見て）に例えば７０°回動した状態を示している。この状態では、第１および第２のハンドル３７，３９の回動に伴って、第１および第２の処置片１２，１４も閉じた状態で右横方向へ７０°回動される。すなわち、第１のハンドル３７と第２のハンドル３９とを同時に第２の枢支軸３２を支点として左方向に回動すると、第４の回動板４６を介して第２の駆動棒６が後退し、第３の駆動棒７が前進する。したがって、処置部３における第１の回動ピン２２が後退し、第２の回動ピン２３が前進する。このため、第２の回動板２１を介して第１の処置片１２が第１の枢支軸９を支点として右方向に回動し、その結果、処置部３全体が右方向に回動する。
【００４５】
逆に、第１および第２のハンドル３７，３９を同時に第２の枢支軸３２を支点として右方向に回動すると、第４の回動板４６を介して第２の駆動棒６が前進し、第３の駆動棒７が後退する。したがって、処置部３における第１の回動ピン２２が前進し、第２の回動ピン２３が後退する。このため、第２の回動板２１を介して第１の処置片１２が枢支軸９を支点として左方向に回動する。その結果、処置部３全体が左方向に回動する。
【００４６】
このように、この実施の形態の外科用処置具１では、第１および第２のハンドル３７，３９の右方向の回動に連動して第１および第２の処置片１２，１４がハンドル３７，３９と略平行状態を保ったまま左方向に回動する。また、第１および第２のハンドル３７，３９の左方向の回動に連動して第１および第２の処置片１２，１４がハンドル３７，３９と略平行状態を保ったまま右方向に回動する。すなわち、第１および第２のハンドル３７，３９の上下左右の回動操作によって処置部３を任意の方向に向けることができる。
【００４７】
次に、このような作用を有する外科用処置具１を用いて例えばＣＡＢＧ手術を行う場合の手技について説明する。なお、この実施の形態では、右手で外科用処置具１を操作する場合について説明する。もちろん、左手で操作する場合には、以下に説明する操作を左右逆にして行えばよい。なお、この手術を行うには、例えば体外循環装置を使って心停止下で行っても良い。または、別のポートから血管吻合を行いたい部位の心拍動を部分的に止めるスタビライザ（例えば特開２０００−１１６６６３号公報参照）を挿入し、心拍動下で行っても良い。
【００４８】
図１１は、この実施の形態にかかる外科用処置具１の持ち方を示し、かつ、この外科用処置具１を体腔内に挿入して使用する様子を示している。また、図１１に示すように、内視鏡下のＣＡＢＧ手術においては、上下方向の回動角度を挿入部２に対して略直角に保持した状態で用いられることが多い。以下に説明するＣＡＢＧ手術では、略直角に保持した状態で使用される。
【００４９】
図１１に示すように、親指１１３は、第２のハンドル３９の親指置き部３９ａに載置される。人差指１１４は、挿入部２と操作部４との接続部付近を保持する。中指１１５は、第１のハンドル３７のラウンド部３７ｂを保持する。薬指１１６および小指１１７は、第１のハンドル３７の第２の開閉枢支ピン３８に対して遠位側、もしくは、支柱１００を支える。
【００５０】
図１２は、心臓がある部位の胸部を下側から見た断面図を示している。トロッカー１１８が挿入されると、胸腔内は陽圧となるので、肺６５は虚脱される。左前下行枝６４と称されている冠状動脈の真上にトロッカー１１８を介して硬性鏡６７を挿入する。すなわち、術部の真上から観察しながら手術を行う。また、硬性鏡６７が挿入されるトロッカー１１８に隣接した位置に２つの他のトロッカー１１８が挿入される。そして、このトロッカー１１８の一方には、図１１に示すように保持した状態で外科用処置具１の処置部３から体腔内に挿入する。また、トロッカー１１８の他方には、把持鉗子６８などの処置具を挿入する。
なお、この実施の形態で説明する左前下行枝６４や内胸動脈７０の血管径は、例えば２ｍｍないし３ｍｍ程度である。
【００５１】
図１３は、血管吻合を行う前段階が終了した状態を示している。図１３に示すように、内視鏡的に図示しない胸部側方に開けたポートを用いて、図１２に示す胸壁６６から内胸動脈７０が剥離されている。そして、左前下行枝６４内に狭窄を起こした部位の下流側にはさみ鉗子６９を用いて切開口７１を形成している。
【００５２】
図１４ないし図２５は、内視鏡下で行う血管吻合（縫合）手技の流れを順に示している。なお、径が２ｍｍないし３ｍｍ程度の血管を縫合することができる非常に微細な第１および第２の湾曲針７３，７４の先端は鋭利に形成され、適当な湾曲度合を持って湾曲されて、基端には両者を繋ぐ縫合糸７５が配設されている。
【００５３】
まず、第２の湾曲針７４の先端部が処置部３の右横側に配設されるように湾曲針７４の基端側を処置部３で把持しておく。そして、図１４（Ａ）に示すように、把持鉗子６８で胸壁６６から剥離させた内胸動脈７０を把持する。この状態で、湾曲針７４が内胸動脈７０の切断部（端部）近傍の内壁部に向かうように、ハンドル３７，３９を左横方向に回動操作する。処置部３は右横方向に回動して第２の湾曲針７４の先端部は内胸動脈７０に刺し入れられる。すなわち、内壁部から外側に向かって湾曲針７４の先端部を押し込む。ここで、図１８はこのような状態になるまでの内胸動脈７０に対する処置部３の一連の動きを図１４（Ａ）の１４Ａ−１４Ａ断面に沿って示している。
【００５４】
図１８（Ａ）に示すように、ハンドル３７，３９を右横方向に最大（例えば、＋７０°）に回動させて、処置部３の左右方向の回動角度を左横方向に最大（例えば、＋７０°）に回動させる。この状態で湾曲針７４の先端を内胸動脈７０内に刺す。
次に、図１８（Ｂ）に示すように、ハンドル３７，３９を右横方向の最大回動位置から左横方向に略中央の位置まで回動させる。つまり、ハンドル３７，３９を略ニュートラル状態に戻す。すると、処置部３の回動角度が小さくなる方向、すなわち、処置部３が右横方向に向かって略中央のニュートラル位置まで回動し、湾曲針７４の先端部を内胸動脈７０の内壁部の任意の位置に刺し入れる。そして、この状態で一旦、湾曲針７４を放す。
そして、図１８（Ｃ）に示すように、ハンドル３７，３９を左横方向の適当な角度に回動させて処置部３を右横方向に適当な角度に回動させた状態にする。この後、湾曲針７４の先端部が処置部３の右横側を向くように湾曲針７４の先端側を処置部３で再把持する。
さらに、ハンドル３７，３９を左横方向に最大に回動操作（例えば、−７０°）して、処置部３を図１８（Ａ）に示す方向に対して反対側の右横方向に最大（例えば、−７０°）に回動させる。このようにして、湾曲針７４の基端部を湾曲針７４の湾曲度合にほぼ沿わせながら内胸動脈７０から抜き取る。すなわち、図１８（Ｄ）に示すように、第２の湾曲針７４を把持した状態で内胸動脈７０に縫合糸７５を通す。
【００５５】
そして、第２の湾曲針７４の先端部が処置部３の左横側に配設されるように湾曲針７４の基端側を処置部３で再把持しておく。この状態で、図１４（Ｂ）に示すように、湾曲針７４の先端部が左前下行枝６４の切開口７１近傍の外壁部に向かうように、ハンドル３７，３９を右横方向に回動操作する。処置部３は左横方向に回動して第２の湾曲針７４の先端部は左前下行枝６４の外壁部から内側に向かって刺し入れられる。すなわち、処置部３の回動によって左前下行枝６４の外壁部から内側に向かって湾曲針７４の先端部を引っ掛ける。ここで、図１９はこのような状態になるまでの左前下行枝６４に対する処置部３の一連の動きを図１４（Ｂ）に示す１４Ｂ−１４Ｂ断面に沿って示している。
【００５６】
図１９（Ａ）に示すように、ハンドル３７，３９を左横方向に最大に回動させて、処置部３の左右方向の回動角度を右横方向に最大に回動させる。この状態で湾曲針７４の先端を左前下行枝６４の外壁部の任意の位置に刺す。
次に、図１９（Ｂ）に示すように、ハンドル３７，３９を左横方向の最大回動位置から右横方向に向かって回動させる。つまり、ハンドル３７，３９をニュートラル方向に戻す。すると、処置部３の回動角度が小さくなる方向、すなわち、処置部３が左横方向に向かって回動し、湾曲針７４の先端部を左前下行枝６４の外壁部に刺し入れる。そして、この状態で一旦、湾曲針７４を放す。
そして、図１９（Ｃ）に示すように、ハンドル３７，３９を右横方向の適当な角度に回動させて処置部３を左横方向に適当な角度に回動させた状態にする。この後、湾曲針７４の先端部が処置部３の左横側を向くように湾曲針７４の先端側を処置部３で再把持する。
さらに、ハンドル３７，３９を右横方向に最大に回動操作して、処置部３を図１９（Ａ）に示す方向に対して反対側の左横方向に最大に回動させる。このようにして、湾曲針７４の基端部を湾曲針７４の湾曲度合にほぼ沿わせながら左前下行枝６４から抜き取る。すなわち、図１９（Ｄ）に示すように、第２の湾曲針７４を把持した状態で左前下行枝６４に縫合糸７５を通す。
【００５７】
この状態では、湾曲針７４の先端部は、内胸動脈７０と左前下行枝６４とを貫通している。すなわち、縫合糸７５は、内胸動脈７０と左前下行枝６４とを通っている。
【００５８】
次に、第２の湾曲針７４の先端部が処置部３の右横側に配設されるように湾曲針７４の基端側を処置部３で再把持しておく。この状態で、図１４（Ｃ）に示すように、湾曲針７４の先端部が内胸動脈７０の端部の内壁部に向かうように、ハンドル３７，３９を左横方向に回動操作する。処置部３は右横方向に回動して第２の湾曲針７４の先端部は内胸動脈７０の内壁部から外側に向かって刺し入れられる。すなわち、内壁部から外側に向かって湾曲針７４の先端部を押し込む。ここで、図２０はこのような状態になるまでの内胸動脈７０に対する処置部３の一連の動きを図１４（Ｃ）に示す１４Ｃ−１４Ｃ断面に沿って示している。
【００５９】
図２０（Ａ）に示すように、ハンドル３７，３９を右横方向に最大に回動させて、処置部３の左右方向の回動角度を左横方向に最大に回動させる。この状態で湾曲針７４の先端部を内胸動脈７０の内壁に刺す。
図２０（Ｂ）に示すように、ハンドル３７，３９を右横方向の最大回動位置から左横方向に向かって回動させる。つまり、ハンドル３７，３９をニュートラル方向に戻す。すると、処置部３の回動角度が小さくなる方向、すなわち、処置部３が右横方向に向かって回動し、湾曲針７４の先端部を内胸動脈７０の内壁部に刺し入れる。そして、この状態で一旦、湾曲針７４を放す。
そして、図２０（Ｃ）に示すように、ハンドル３７，３９を左横方向の適当な角度に回動させて処置部３を右横方向に適当な角度に回動させた状態にする。この後、湾曲針７４の先端部が処置部３の右横側を向くように湾曲針７４の先端側を処置部３で再把持する。
さらに、ハンドル３７，３９を左横方向に最大に回動操作して、処置部３を図２０（Ａ）に示す方向に対して反対側の右横方向に最大に回動させる。このようにして、湾曲針７４の基端部を湾曲針７４の湾曲度合にほぼ沿わせながら内胸動脈７０から抜き取る。すなわち、図２０（Ｄ）に示すように、第２の湾曲針７４を把持した状態で内胸動脈７０に縫合糸７５を通す。
【００６０】
次に、第２の湾曲針７４の先端部が処置部３の右横側に配設されるように湾曲針７４の基端側を処置部３で再把持しておく。この状態で、図１５（Ａ）に示すように、湾曲針７４の先端部が左前下行枝６４の切開口７１近傍の外壁部に向かうように、ハンドル３７，３９を右横方向に回動操作する。処置部３は左横方向に回動して第２の湾曲針７４の先端部は左前下行枝６４の外壁部から内側に向かって刺し入れられる。すなわち、外壁部から内側に向かって湾曲針７４の先端部を引っ掛ける。ここで、図２１はこのような状態になるまでの左前下行枝６４に対する処置部３の一連の動きを図１５（Ａ）に示す１５Ａ−１５Ａ断面に沿って示している。
【００６１】
図２１（Ａ）に示すように、ハンドル３７，３９を右横方向に最大に回動させて、処置部３の左右方向の回動角度を左横方向に最大に回動させる。この状態で湾曲針７４の先端部を左前下行枝６４の外壁に刺す。
図２１（Ｂ）に示すように、ハンドル３７，３９を右横方向の最大回動位置から左横方向に向かって回動させる。つまり、ハンドル３７，３９をニュートラル方向に戻す。すると、処置部３の回動角度が小さくなる方向、すなわち、処置部３が右横方向に向かって回動し、湾曲針７４の先端部を左前下行枝６４の外壁部に刺し入れる。そして、この状態で一旦、湾曲針７４を放す。
そして、図２１（Ｃ）に示すように、ハンドル３７，３９を左横方向の適当な角度に回動させて処置部３を右横方向に適当な角度に回動させた状態にする。この後、湾曲針７４の先端部が処置部３の右横側を向くように湾曲針７４の先端側を処置部３で再把持する。
さらに、ハンドル３７，３９を左横方向に最大に回動操作して、処置部３を図２１（Ａ）に示す方向に対して反対側の右横方向に最大に回動させる。このようにして、湾曲針７４の基端部を左前下行枝６４の切開口７１から抜き取る。すなわち、図２１（Ｄ）に示すように、第２の湾曲針７４を把持した状態で左前下行枝６４に縫合糸７５を通す。
【００６２】
そして、図１５（Ｂ）に示すように、左前下行枝６４を術者が見たときに反時計回り方向に１２時方向から９時方向付近まで、内胸動脈７０に対して時計回り方向に同様にして順次縫合する。この後、左前下行枝６４および内胸動脈７０の両血管の１／４程度を縫合した時点で、図１５（Ｃ）に示すように、縫合糸７５を引っ張って血管６４，７０同士の吻合位置を規定する。
【００６３】
次に、第２の湾曲針７４が一端に取り付けられた縫合糸７５の他端に配設された第１の湾曲針７３を用いて縫合を開始する。すなわち、図１６（Ａ）に示すように、図１４（Ａ）ないし図１４（Ｃ）、並びに図１５（Ａ）および図１５（Ｂ）に示した位置から左前下行枝６４の長手方向に対して対称的な方向に縫合を行う。第１の湾曲針７３の先端部が処置部３の右横側に配設されるように湾曲針７３の基端側を処置部３で把持しておく。また、把持鉗子６８で内胸動脈７０を把持しておく。この状態で、湾曲針７３の先端部が内胸動脈７０の外壁側から左前下行枝６４の内壁側に向かって刺し入れられる。ここで、図２２および図２３はこのような状態になるまでの左前下行枝６４および内胸動脈７０に対する処置部３の一連の動きを図１６（Ａ）の１６Ａ−１６Ａ断面に沿って示している。
【００６４】
図２２（Ａ）に示すように、ハンドル３７，３９を右横方向に最大に回動させて、処置部３の左右方向の回動角度を左横方向に最大に回動させる。この状態で湾曲針７３の先端部を内胸動脈７０の外壁部に刺す。
図２２（Ｂ）に示すように、ハンドル３７，３９を右横方向の最大回動位置から左横方向に向かって回動させる。つまり、ハンドル３７，３９をニュートラル方向に戻す。すると、処置部３の回動角度が小さくなる方向、すなわち、処置部３が右横方向に向かって回動し、湾曲針７３の先端部を内胸動脈７０の外壁部に刺し入れる。
さらに、図２２（Ｃ）に示すように、この状態で、湾曲針７３の先端部を左前下行枝６４の内壁部から外側に向かって刺し入れる。すなわち、湾曲針７３の先端は、内胸動脈７０と左前下行枝６４とが接触した状態で、両者７０，６４に貫通する。そして、この状態で一旦、湾曲針７３を放す。
なお、図２２（Ｂ）および図２２（Ｃ）で示すように、内胸動脈７０と左前下行枝６４とを縫合するには、２回の回動操作を行っているが、１回の回動操作のみで済む場合もあり得る。すなわち、１回の回動操作で２つの血管７０，６４に湾曲針７３を貫通させてもよい。
【００６５】
そして、図２３（Ａ）に示すように、ハンドル３７，３９を略ニュートラル位置に回動させて処置部３を略ニュートラル位置にする。この後、湾曲針７３の先端部が処置部３の右横側を向くように湾曲針７３の先端側を処置部３で再把持する。
さらに、ハンドル３７，３９を左横方向に最大に回動操作して、処置部３を図２２（Ａ）に示す方向に対して反対側の右横方向に最大に回動させる。このようにして、湾曲針７３の基端部を内胸動脈７０および左前下行枝６４から抜き取る。すなわち、図２３（Ｂ）に示すように、第１の湾曲針７３を把持した状態で内胸動脈７０および左前下行枝６４に縫合糸７５を通す。
【００６６】
そして、図１６（Ｂ）に示すように、左前下行枝６４を術者が見たときに時計回り方向に１２時方向から３時方向付近まで内胸動脈７０および左前下行枝６４を順次縫合する。
【００６７】
次に、第１の湾曲針７３の先端部が処置部３の左横側に配設されるように湾曲針７３の基端側を処置部３で再把持しておく。この状態で、図１６（Ｃ）に示すように、湾曲針７３の先端部が内胸動脈７０の外壁側から左前下行枝６４の内壁側に向かって刺し入れられる。ここで、図２４および図２５はこのような状態になるまでの左前下行枝６４および内胸動脈７０に対する処置部３の一連の動きを図２２および図２３とは反対側から図１６（Ｃ）の１６Ｃ−１６Ｃ断面に沿って示している。
【００６８】
図２４（Ａ）に示すように、ハンドル３７，３９を左横方向に最大に回動させて、処置部３の左右方向の回動角度を右横方向に最大に回動させる。この状態で湾曲針７３の先端部を内胸動脈７０の外壁に刺す。
図２４（Ｂ）に示すように、ハンドル３７，３９を左横方向の最大回動位置から右横方向に向かって回動させる。つまり、ハンドル３７，３９をニュートラル方向に戻す。すると、処置部３の回動角度が小さくなる方向、すなわち、処置部３が左横方向に向かって回動し、湾曲針７４の先端部を内胸動脈７０の外壁部に刺し入れる。
さらに、図２４（Ｃ）に示すように、この状態で、湾曲針７３の先端部を左前下行枝６４の内壁部から外側に向かって刺し入れる。すなわち、湾曲針７３の先端は、内胸動脈７０と左前下行枝６４とが接触した状態で、両者７０，６４に貫通する。そして、この状態で一旦、湾曲針７４を放す。
そして、図２５（Ａ）に示すように、ハンドル３７，３９を略ニュートラル位置に回動させて処置部３を略ニュートラル位置にする。この後、湾曲針７３の先端部が処置部３の左横側を向くように湾曲針７４の先端側を処置部３で再把持する。
さらに、ハンドル３７，３９を右横方向に最大に回動操作して、処置部３を図２４（Ａ）に示す方向に対して反対側の左横方向に最大に回動させる。このようにして、湾曲針７３の基端部を内胸動脈７０および左前下行枝６４から抜き取る。すなわち、図２５（Ｂ）に示すように、第１の湾曲針７３を把持した状態で内胸動脈７０および左前下行枝６４に縫合糸７５を通す。
【００６９】
そして、図１６（Ｄ）に示すように、左前下行枝６４の切開口７１を術者が見たときに時計回り方向に３時方向から６時方向まで順次縫合する。
【００７０】
次に、第１の湾曲針７３の先端部が処置部３の左横側に配設されるように湾曲針７３の基端側を処置部３で再把持しておく。この状態で、図１７（Ａ）に示すように、湾曲針７３の先端部が内胸動脈７０の外壁側から左前下行枝６４の内壁側に向かって刺し入れられる。このようにして、左前下行枝６４の切開口７１を術者が見たときに時計回り方向に６時方向から９時方向まで順次縫合する。すなわち、左前下行枝６４の切開口７１に対する内胸動脈７０の端部の全周に渡る縫合（吻合）を終了する。
【００７１】
そして、図１７（Ｂ）に示すように、処置部３を操作して縫合糸７５を任意の位置で結んで、数回結び目を形成して縫合糸７５を留める。
その後、図１７（Ｃ）に示すように、縫合糸７５の結び目近くで縫合糸７５を切り、湾曲針７３，７４を体外に取り出す。
【００７２】
（効果）
以上説明したように、この実施の形態にかかる外科用処置具１は、処置部３の回動角度を±７０°程度など、従来の外科用処置具の処置部の回動角度よりも大きくすることができる。このため、ＣＡＢＧ手術時には、湾曲針７３，７４の湾曲度合に応じて処置部３を回動させることができる。このため、径が２ｍｍないし３ｍｍ程度の左前下行枝６４や内胸動脈７０などの血管に無理な力を与え難くして縫合することができる。また、内胸動脈７０などの移植血管と左前下行枝６４などの冠状動脈などからなる被移植血管とを一度の回動操作によっても湾曲針の先端部を刺し入れることができる。このため、外科用処置具１の操作部４を持ち替える回数や回動させる回数を減らすことができる。また、この外科用処置具１を上下動させる回数を減らすことができる。このため、手術時間の大幅な短縮を図ることができる。
【００７３】
すなわち、処置部３の回動角度を±７０°など、従来の技術にかかる外科用処置具の処置部の回動角度よりも大きくすることができるので、ＣＡＢＧにおける複雑な運針操作（押し込み、引っ掛け、反時計回り、時計回りの回動操作）に対して持ち替えなしで対応することができる。このため、手術時間の短縮を図ることができ、患者に対する侵襲の低下、手術室のランニングコストの削減など、様々に寄与することができる。
【００７４】
なお、この実施の形態では、外科用処置具１の左右方向の回動角度は、ハンドル３７，３９を±７０°、処置部３を±７０°としたが、このような角度は一例であって、他の角度であってももちろん構わない。
【００７５】
また、冠状動脈としての左前下行枝６４や、胸壁から剥離させた内胸動脈７０は一例であって、他の血管同士を縫合（吻合）させるときにも適用しても構わない。
【００７６】
［第２の実施の形態］
次に、図２６ないし図３５を用いて第２の実施の形態について説明する。この実施の形態は、第１の実施の形態の変形例であって、同一の部材には同一の符号を付し、詳しい説明を省略する。
【００７７】
（構成）
図２６に示すように、支持部８に沿って設けられた第２および第３の駆動棒６ａ，７ａは、それぞれ第２の回動板２１および第４の回動板４６の近傍で支持部８の内方に向かってＬ字状に屈曲した屈曲部が形成されている。すなわち、第２のおよび第３の駆動棒６ａ，７ａの両端部は、それぞれの端部で同一の方向に向かってＬ字状に屈曲されている。
【００７８】
また、支持部８の後端部側、すなわち、支持部８の操作部４側の第２の枢支軸３２の近傍は、支持部８の中央部よりも細く、かつ、互いに対して平行な第２の突き当て面６１ａが形成されている。
【００７９】
また、第２の回動板２１の第２の枢支ピン２０が配設される直交部の先端部に対して遠位側の端部と、この端部から第１および第２の回転ピン２２，２３中心との間の距離をＬ３とする。また、第４の回動板４６の第１の突き当て面６０側の端部と、この端部から第３および第４の回動ピン（枢軸）４７，４８中心との間の距離もＬ３に形成されている。
【００８０】
第２の駆動棒６ａの中央部の側部と、第１の回転ピン２２、第３の回動ピン４７を結ぶ線との間の距離をＬ４とする。同様に、第３の駆動棒７ａの中央部の側部と、第２の回転ピン２３、第４の回動ピン４８を結ぶ線との間の距離もＬ４に形成されている。このとき、
Ｌ４−Ｌ３≧０
に形成されている。第２および第３の駆動棒６ａ，７ａと、第２および第４の回動板２１，４６とは干渉し難くなっている。すなわち、第１の突き当て面６０と第２の突き当て面６１とが当接した状態で、第２および第３の駆動棒６ａ，７ａと第２および第４の回動板２１，４６とが当接もしくは離れた状態となる。このため、ハンドル３７，３９および処置部３は直角になるまで回動可能となっている。
【００８１】
図２６（Ａ）は、上下方向に最大に回動させた状態を示している。すなわち、第１の駆動棒５を処置部３側に押し込んだ状態である。また、第２および第３の駆動棒６ａ，７ａは、互いに平行に、かつ、進退していないニュートラル状態にある。また、第１の突き当て面６０に対して、支持部８の長手方向は略直交している。
【００８２】
図２６（Ｂ）は、図２６（Ａ）の状態から第２の枢支軸３２を支点としてハンドル３７，３９を左右方向の左横方向に最大（９０°）に回動させた状態を示している。このとき、処置部３は、右横方向に最大（９０°）に回動される。すなわち、第１の駆動棒５を操作部４側に引っ張った状態である。第２の駆動棒６を操作部４側に引っ張り、第３の駆動棒７ａを処置部３側に押出した状態である。また、第２および第３の駆動棒６ａ，７ａは、互いに平行な状態を維持しながら互いに対して屈曲部の分だけ離間した状態である。そして、第１の突き当て面６０と、一方の第２の突き当て面６１とは、互いに当接している。
【００８３】
また、図２７に示すように、第１および第２の処置片１２，１４のそれぞれの把持面１２ｂ，１４ｂには、必要に応じて例えばタングステンカーバイドなどの超硬素材が貼り付けてあり、その表面にはローレット目による滑り止めが施されている。これにより、把持対象物である縫合針、縫合糸、生体組織等を確実に把持することができるようになっている。
【００８４】
（作用）
このような外科用処置具１の動作については、第１の実施の形態とほぼ同様であるので、説明を省略する。
【００８５】
次に、このような作用を有する外科用処置具１を用いて例えばＣＡＢＧ手術を行う場合について説明する。この実施の形態で説明する手技は、第１の実施の形態とは異なり、左前下行枝６４に対して側方からアプローチするものである。なお、この実施の形態では、右手で外科用処置具１を操作する場合について説明する。もちろん、左手で操作する場合には、以下に説明する操作を左右逆にして行えばよい。
【００８６】
図２８（Ａ）は、心臓がある部位の胸部を下側から見た断面図を示している。左前下行枝６４と称されている冠状動脈の側方にトロッカー１１８を介して硬性鏡６７を挿入する。すなわち、術部の側方から観察しながら手術を行う。すなわち、左前下行枝６４に対して側方からトロッカー１１８を介して硬性鏡６７で観察しながらアプローチすることを示している。
【００８７】
また、図２８（Ｂ）は血管吻合を行う前段階が終了した状態を示している。図２８（Ｂ）に示すように、内視鏡的に胸部側方に開けたポートを用いて、図２８（Ａ）に示す胸壁６６から内胸動脈７０が剥離されている。そして、左前下行枝６４内に狭窄を起こした部位の下流側にはさみ鉗子６９を用いて切開口７１を形成している。また、硬性鏡６７が挿入されるトロッカー１１８に隣接した位置に２つの他のトロッカー１１８が挿入される。そして、このトロッカー１１８の一方には、図１１に示すように保持した状態で外科用処置具１の処置部３から体腔内に挿入する。また、トロッカー１１８の他方には、把持鉗子６８などの処置具を挿入する。
【００８８】
図２９ないし図３５は、内視鏡下で行う血管吻合（縫合）手技の流れを順に示している。
【００８９】
まず、第２の湾曲針７４の先端部が処置部３の左横側に配設されるように湾曲針７４の基端側を処置部３で把持しておく。そして、図２９（Ａ）に示すように、把持鉗子６８で胸壁６６から剥離させた内胸動脈７０を把持する。この状態で、湾曲針７４が内胸動脈７０の切断部（端部）近傍の内壁部に向かうように、ハンドル３７，３９を右横方向に回動操作する。処置部３は左横方向に回動して第２の湾曲針７４の先端部は内胸動脈７０に刺し入れられる。すなわち、術者から見て、内壁部から外側に向かって処置部３を下側に回動して湾曲針７４の先端部を内胸動脈７０の内壁部に引っ掛ける。そして、さらに回動させて、湾曲針７４の先端部を内壁部から外側に向かって貫通させる。この状態で一旦、湾曲針７４を放す。
そして、ハンドル３７，３９を左横方向の適当な角度に回動させて処置部３を右横方向に適当な角度に回動させた状態にする。この後、湾曲針７４の先端部が処置部３の左横側を向くように湾曲針７４の先端側を処置部３で再把持する。
さらに、ハンドル３７，３９を右横方向に最大に回動操作して、処置部３を左横方向に最大もしくは最大付近まで回動させる。このようにして、湾曲針７４の基端部を湾曲針７４の湾曲度合にほぼ沿わせながら内胸動脈７０から抜き取る。すなわち、第２の湾曲針７４を把持した状態で内胸動脈７０に縫合糸７５を通す。
【００９０】
そして、第２の湾曲針７４の先端部が処置部３の左横側に配設されるように湾曲針７４の基端側を処置部３で再把持しておく。この状態で、湾曲針７４の先端部が左前下行枝６４の切開口７１近傍の外壁部に向かうように、ハンドル３７，３９を右横方向に回動操作する。処置部３は左横方向に回動して第２の湾曲針７４の先端部は左前下行枝６４の外壁部から内側に向かって刺し入れられる。すなわち、術者から見て、外壁部から内側に向かって処置部３を下側に回動して湾曲針７４の先端部を左前下行枝６４の外壁部に引っ掛ける。そして、さらに回動させて、湾曲針７４の先端部を外壁部から内側に向かって貫通させる。この状態で一旦、湾曲針７４を放す。
そして、ハンドル３７，３９を左横方向の適当な角度に回動させて処置部３を右横方向に適当な角度に回動させた状態にする。この後、図２９（Ｂ）に示すように、湾曲針７４の先端部が処置部３の左横側を向くように湾曲針７４の先端側を処置部３で再把持する。
さらに、ハンドル３７，３９を右横方向に最大に回動操作して、処置部３を左横方向に最大もしくは最大付近まで回動させる。このようにして、湾曲針７４の基端部を湾曲針７４の湾曲度合にほぼ沿わせながら左前下行枝６４から抜き取る。すなわち、第２の湾曲針７４を把持した状態で左前下行枝６４に縫合糸７５を通す。
【００９１】
次いで、内胸動脈７０の内壁部から外側へ、そして、左前下行枝６４の外壁部から内側に湾曲針７４を通して内胸動脈７０と左前下行枝６４とを縫合していく作業を順次実施していく。
【００９２】
この作業においては、まず、第２の湾曲針７４の先端部が処置部３の左横側に配設されるように湾曲針７４の基端側を処置部３で再把持しておく。この状態で、図２９（Ｃ）に示すように、湾曲針７４の先端部が内胸動脈７０の切断部の内壁部に向かうように、ハンドル３７，３９を右横方向に回動操作する。処置部３は左横方向に回動して第２の湾曲針７４の先端部は内胸動脈７０の切断部の内壁部から外側に向かって刺し入れられる。さらに、この操作で、左前下行枝６４の外壁部から内側に向かって刺し入れられる。すなわち、処置部３の回動によって内胸動脈７０の内壁部から外側を通り、さらに、左前下行枝６４の外壁部から内側に向かって湾曲針７４の先端部を引っ掛ける。ここで、図３１はこのような状態になるまでの内胸動脈７０および左前下行枝６４に対する処置部３の一連の動きを図２９（Ｃ）に示す２９Ｃ−２９Ｃ断面に沿って示している。
【００９３】
図３１（Ａ）に示すように、ハンドル３７，３９を左横方向に最大（例えば、−９０°）に回動させて、処置部３の左右方向の回動角度を右横方向に最大（例えば、−９０°）に回動させる。この状態で処置部３を左前下行枝６４の切開口７１と内胸動脈７０の端部との間に挿入し、湾曲針７４の先端を内胸動脈７０の内壁部の任意の位置に刺す。
次に、図３１（Ｂ）に示すように、ハンドル３７，３９を左横方向の最大回動位置から右横方向に向かって回動させる。つまり、ハンドル３７，３９をニュートラル方向に戻す。すると、処置部３の回動角度が小さくなる方向、すなわち、処置部３が左横方向に向かって回動し、湾曲針７４の先端部を内胸動脈７０の内壁部を貫通して、左前下行枝６４の外壁部から内側に刺し入れる。そして、この状態で一旦、湾曲針７４を放す。
そして、図３１（Ｃ）に示すように、ハンドル３７，３９を右横方向の適当な角度に回動させて処置部３を左横方向に適当な角度に回動させた状態にする。この後、湾曲針７４の先端部が処置部３の左横側を向くように湾曲針７４の先端側を処置部３で再把持する。
さらに、ハンドル３７，３９を右横方向に最大に回動操作して、処置部３を図３１（Ａ）に示す方向に対して反対側の左横方向に最大に回動させる。このようにして、湾曲針７４の基端部を湾曲針７４の湾曲度合にほぼ沿わせながら左前下行枝６４から抜き取る。すなわち、図３１（Ｄ）に示すように、第２の湾曲針７４を把持した状態で内胸動脈７０および左前下行枝６４に縫合糸７５を通す。
【００９４】
このような操作を繰り返し行って、図２９（Ｄ）に示すように、術者から見て左前下行枝６４の切開口７１の３時から９時まで反時計回り方向に順次縫合する。
【００９５】
次に、第２の湾曲針７４が一端に取り付けられた縫合糸７５の他端に配設された第１の湾曲針７３を用いて縫合を開始する。すなわち、図３０（Ａ）に示すように、図２９（Ａ）ないし図２９（Ｄ）に示した位置から左前下行枝６４の長手方向に対して対称的な方向に縫合を行う。第１の湾曲針７３の先端部が処置部３の左横側に配設されるように湾曲針７３の基端側を処置部３で把持しておく。また、把持鉗子６８で内胸動脈７０を把持しておく。この状態で、湾曲針７３の先端部が内胸動脈７０の外壁側から左前下行枝６４の内壁側に向かって刺し入れられる。ここで、図３２および図３３はこのような状態になるまでの左前下行枝６４および内胸動脈７０に対する処置部３の一連の動きを図３０（Ａ）に示す３０Ａ−３０Ａ断面に沿って示している。
【００９６】
図３２（Ａ）に示すように、ハンドル３７，３９を左横方向に最大に回動させて、処置部３の左右方向の回動角度を右横方向に最大に回動させる。この状態で湾曲針７３の先端部を内胸動脈７０の外壁部に刺す。
図３２（Ｂ）に示すように、ハンドル３７，３９を左横方向の最大回動位置から右横方向に向かって回動させる。つまり、ハンドル３７，３９をニュートラル方向に戻す。すると、処置部３の回動角度が小さくなる方向、すなわち、処置部３が左横方向に向かって回動し、湾曲針７３の先端部を内胸動脈７０の外壁部に刺し入れる。
さらに、図３２（Ｃ）に示すように、この状態で、湾曲針７３の先端部を左前下行枝６４の内壁部から外側に向かって刺し入れる。すなわち、湾曲針７３の先端は、内胸動脈７０と左前下行枝６４とが接触した状態で、両者７０，６４に貫通する。そして、この状態で一旦、湾曲針７３を放す。
そして、図３３（Ａ）に示すように、ハンドル３７，３９をやや右横方向に回動させて、処置部３をやや左横方向に回動させる。この後、湾曲針７３の先端部が処置部３の左横側を向くように湾曲針７３の先端側を処置部３で再把持する。
さらに、ハンドル３７，３９を右横方向に最大に回動操作して、処置部３を図３２（Ａ）に示す方向に対して反対側の左横方向に最大に回動させる。このようにして、湾曲針７３の基端部を内胸動脈７０および左前下行枝６４から抜き取る。すなわち、図３３（Ｂ）に示すように、第１の湾曲針７３を把持した状態で内胸動脈７０および左前下行枝６４に縫合糸７５を通す。
【００９７】
このような操作を繰り返し行って、図３０（Ａ）に示すように、術者から見て左前下行枝６４の切開口７１の３時から６時まで時計回り方向に順次縫合する。
【００９８】
次に、第２の湾曲針７４を用いて縫合を開始する。すなわち、図３０（Ｂ）に示すように、図２９（Ａ）ないし図２９（Ｄ）に示した位置から左前下行枝６４の長手方向に対して対称的な方向に縫合を行う。第２の湾曲針７４の先端部が処置部３の右横側に配設されるように湾曲針７４の基端側を処置部３で把持しておく。また、把持鉗子６８で内胸動脈７０を把持しておく。この状態で、湾曲針７４の先端部が左前下行枝６４の外壁側から内胸動脈７０の内壁側に向かって刺し入れられる。ここで、図３４および図３５はこのような状態になるまでの左前下行枝６４および内胸動脈７０に対する処置部３の一連の動きを図３０（Ｂ）に示す３０Ｂ−３０Ｂ断面に沿って示している。
【００９９】
図３４（Ａ）に示すように、ハンドル３７，３９を右横方向に最大に回動させて、処置部３の左右方向の回動角度を左横方向に最大に回動させる。この状態で湾曲針７４の先端部を左前下行枝６４の外壁部に刺す。
図３４（Ｂ）に示すように、ハンドル３７，３９を右横方向の最大回動位置から左横方向に向かって回動させる。つまり、ハンドル３７，３９をニュートラル方向に戻す。すると、処置部３の回動角度が小さくなる方向、すなわち、処置部３が右横方向に向かって回動し、湾曲針７４の先端部を左前下行枝６４の外壁部に刺し入れる。
さらに、図３４（Ｃ）に示すように、この状態で、湾曲針７４の先端部を内胸動脈７０の内壁部から外側に向かって刺し入れる。すなわち、湾曲針７４の先端は、左前下行枝６４と内胸動脈７０とが接触した状態で、両者６４，７０に貫通する。そして、この状態で一旦、湾曲針７４を放す。
そして、図３５（Ａ）に示すように、ハンドル３７，３９をやや左横方向に回動させて、処置部３をやや右横方向に回動させる。この後、湾曲針７４の先端部が処置部３の左横側を向くように湾曲針７４の先端側を処置部３で再把持する。
さらに、ハンドル３７，３９を左横方向に最大に回動操作して、処置部３を図３４（Ａ）に示す方向に対して反対側の右横方向に最大に回動させる。このようにして、湾曲針７４の基端部を左前下行枝６４および内胸動脈７０から抜き取る。すなわち、図３５（Ｂ）に示すように、第２の湾曲針７４を把持した状態で左前下行枝６４および内胸動脈７０に縫合糸７５を通す。
【０１００】
このような操作を繰り返し行って、図３０（Ｂ）に示すように、術者から見て左前下行枝６４の切開口７１の９時から６時まで反時計回り方向に順次縫合する。すなわち、左前下行枝６４の切開口７１に対する内胸動脈７０の端部の全周に渡る縫合（吻合）を終了する。
【０１０１】
そして、図３０（Ｃ）に示すように、処置部３を操作して縫合糸７５を任意の位置で結んで、数回結び目を形成して縫合糸７５を留める。その後、縫合糸７５の結び目近くで縫合糸７５を切り、第１および第２の湾曲針７３，７４を体外に取り出す。
【０１０２】
（効果）
以上説明したように、この実施の形態の外科用処置具１は、左右方向に例えば±９０°回動することができる。このため、内胸動脈７０を剥離させるのに使用したポートをそのまま使用して吻合を行うことができる。すなわち、様々な方向から目的部位の処置を行うのにアプローチすることができる。したがって、患者の負担を低減させることができる。
【０１０３】
また、処置片１２，１４に設けた滑り止めが長持ちするので、取り替え頻度を減らすことができる。また、処置片１２，１４自体は取り替えることは少なくて済み、超硬チップを付け替えるだけで済む。このため、外科用処置具１の使用者の負担を減らすことができる。
【０１０４】
［第３の実施の形態］
次に、図３６を用いて第３の実施の形態について説明する。この実施の形態は、第１の実施の形態の変形例であって、同一の部材には同一の符号を付し、詳しい説明を省略する。
【０１０５】
（構成）
図３６は、処置部３の第１および第２の処置片１２，１４の変形例を示している。図３６に示すように、第１および第２の処置片１２，１４の把持面１２ｂ，１４ｂには、必要に応じて例えばダイヤモンド、ルビー、サファイアなどの微小粒が吹き付けられて微細な粗面が形成されて滑り止めが施されている。これにより、把持対象物である縫合針（湾曲針）、縫合糸、生体組織等を確実に把持することができるようになっている。さらに、第１および第２の処置片１２，１４の先端には、血管等の傷つけ防止を図る略球形部１２ｃ，１４ｃが形成されている。
【０１０６】
そして、第１の回転ピン２２と第２の回転ピン２３とが異なる高さに枢支されている。また、第３の回転ピン４７と第４の回転ピン４８とが異なる高さに枢支されている。さらに、第１の回転ピン２２と第３の回動ピン４７とは同一の高さに枢支されている。また、第２の回転ピン２３と第４の回動ピン４８とは同一の高さに枢支されている。すなわち、第２および第３の駆動棒６ｂ，７ｂは第２および第４の回動板２１ａ，４６ａで互いに異なる高さに平行を維持しながら配設されている。
【０１０７】
第２および第３の駆動棒６ｂ，７ｂの高さが異なるので、互いに干渉せず、もしくは干渉し難くなる。このため、例えば、回動の程度によっては、第２の駆動棒６ａの下側に第３の駆動棒７ｂが配設されることも可能である。したがって、処置部３の左右方向の回動角度を大きく取ることができる。
【０１０８】
（作用）
このような外科用処置具１の動作、作用等については、第１の実施の形態とほぼ同様であるので、説明を省略する。
【０１０９】
（効果）
以上説明したように、この実施の形態の外科用処置具１は、左右方向に任意の角度に回動させることができる。
【０１１０】
ところで、第１および第２の処置片１２，１４の把持面１２ｂ，１４ｂの変形例について図３７ないし図４０を用いて説明する。
【０１１１】
図３７に示すように、把持面１２ｂ，１４ｂは、基端部が幅広に、先端部が細く形成されている。また、ゴム材などの高分子材からなるゴムパッド８７が配設されて滑り止めが施されている。
このため、縫合針（湾曲針）、縫合糸、生体組織等を確実に把持することができるようになっている。
【０１１２】
図３８（Ａ）に示すように、ゴムパッド８７が把持面１２ｂ，１４ｂに配設されていないときには、例えば湾曲針７３を把持するときには、図３８（Ａ）中のａ，ｂ，ａ’の３点支持である。このため、充分な把持力が得られない可能性がある。
【０１１３】
しかし、図３８（Ｂ）に示すように、この実施の形態のように、ゴムパッド８７を把持面１２ｂ，１４ｂに配設すると、例えば第１の湾曲針７３を把持するときには、ゴムパッド８７が弾性変形する。このため、充分な把持力を得ることができる。また、湾曲針７３に過大な力が加えられたときのクッションとしても作用する。
【０１１４】
さらに、図３９に示すように、第１の処置片１２は把持面１２ｂ’を有する。また、第２の処置片１４は把持面１４ｂ’を有する。把持面１２ｂ’，１４ｂ’は、例えば湾曲針７３の形状に合わせて形成されている。すなわち、第１の把持面１２ｂが凹面状に形成され、第２の把持面１４ｂが凸面状に形成されている。このため、特に縫合針（湾曲針７３）を把持するときには、縫合針の湾曲具合に合わせて充分な把持力を得ることができる。したがって、湾曲針７３が外力により、容易には回転しない。
【０１１５】
また、図４０に示すように、第１の処置片１２は把持面１２ｂ”を有する。また、第２の処置片１４は把持面１４ｂ”を有する。第１および第２の把持面１２ｂ”，１４ｂ”が共に湾曲針７３の湾曲度合に沿って凸面状に形成されている。このため、特に縫合針（湾曲針）を使用するときには、一方の側の把持面１２ｂに密着し、他方の側の把持面１４ｂの最も凸部、すなわち頂点で押さえられるので、確実に把持することができるようになっている。したがって、湾曲針７３が外力により、容易には回転しない。
【０１１６】
したがって、図４０（Ａ）に示すように、湾曲針７３を第２の処置片１４側に当接するように把持する場合と、図４０（Ｂ）に示すように、湾曲針７３を第１の処置片１２側に当接するように把持する場合とで、それぞれ充分な把持力を得ることができる。
【０１１７】
これまで、いくつかの実施の形態について図面を参照しながら具体的に説明したが、この発明は、上述した実施の形態に限定されるものではなく、その要旨を逸脱しない範囲で行なわれるすべての実施を含む。
【０１１８】
上記説明によれば、下記の事項の発明が得られる。また、各項の組み合わせも可能である。
【０１１９】
［付記］
（付記項１）　体内に挿入される細長い挿入部と、
この挿入部の一端部に設けられ、少なくとも２つの軸を中心として回動可能かつ、開閉可能な処置部と、
前記挿入部の他端部に設けられ、少なくとも２つの軸を中心として回動可能かつ、開閉可能な操作部と、
この操作部と処置部とを連結し、操作部の操作力を処置部に伝達して処置部を動作させる第１のリンク棒とこの第１のリンク棒に平行に配置された第２のリンク棒とからなる駆動手段と
を備え、前記処置部の開閉方向に沿った面内を回動する上下方向とこの上下方向に直交した面内を回動する左右方向との少なくとも２つの平面内で前記操作部および処置部が連動して回動可能な外科用処置具において、
前記挿入部の他端部と前記操作部とには、互いに当接する突き当て部が挿入部の軸方向に対して所定の角度をもって形成され、
前記操作部を左右方向に最大に回動操作したときに、前記挿入部の他端部と前記操作部とが互いの突き当て部で当接されるとともに、前記挿入部の軸方向に対する操作部の回動角度が規定されて、前記処置部の左右方向の回動角度が規定されることを特徴とする外科用処置具。
【０１２０】
（付記項２）　体内に挿入される細長い挿入部と、
この挿入部の一端部に設けられ、少なくとも２つの軸を中心として回動可能かつ、開閉可能な処置部と、
前記挿入部の他端部に設けられ、少なくとも２つの軸を中心として回動可能かつ、開閉可能な操作部と、
それぞれ両端部に枢軸対を有し、前記処置部を動作させる第１のリンク棒とこの第１のリンク棒に平行に配置された第２のリンク棒とからなり、前記操作部と処置部とを連結し、操作部の操作力を処置部に伝達する駆動手段と
を備え、前記処置部の開閉方向に沿った面内を回動する上下方向とこの上下方向に直交した面内を回動する左右方向との少なくとも２つの平面内で前記操作部および処置部が連動して回動可能な外科用処置具において、
前記第１のリンク棒の両端部に設けられた前記枢軸対と、第２のリンク棒の両端部に設けられた前記枢軸対との少なくとも一方は、それぞれ第２のリンク棒と、第１のリンク棒とに近接する側に偏りをもって設けられ、
前記第１および第２のリンク棒を互いに逆方向に進退させたときに、前記処置部の回動角度を増すようにしていることを特徴とする外科用処置具。
【０１２１】
（付記項３）　前記第１および第２のリンク棒は、前記操作部を左右方向にそれぞれ最大に回動操作したときにそれぞれ互いに当接することを特徴とする付記項１もしくは付記項２に記載の外科用処置具。
【０１２２】
（付記項４）　前記挿入部の突き当て部は、挿入部の軸方向に対して対称的に形成されていることを特徴とする付記項１ないし付記項３のいずれか１に記載の外科用処置具。
【０１２３】
（付記項５）　前記処置部の最大回動角度は、略±７０°であることを特徴とする付記項１ないし付記項４のいずれか１に記載の外科用処置具。
【０１２４】
（付記項６）　前記操作部を左方向と右方向とのそれぞれの最大回動位置の中間部に位置させたときに、前記第１および第２のリンク棒の端部は、互いのリンク棒の近接する端部の方向に屈曲されて形成されていることを特徴とする付記項１もしくは付記項２に記載の外科用処置具。
【０１２５】
（付記項７）　前記第１のリンク棒の駆動軸対と前記第１のリンク棒との間の距離と、前記操作部の突き当て部と、前記第１および第２のリンク棒の近接する端部に設けられた枢軸との間の距離とは、前者の距離が後者の距離以上に形成されていることを特徴とする付記項１、付記項２および付記項６のいずれか１に記載の外科用処置具。
【０１２６】
（付記項８）　前記処置部の最大回動角度は、略±９０°であることを特徴とする付記項１、付記項２、付記項６および付記項７のいずれか１に記載の外科用処置具。
【０１２７】
（付記項９）　付記項１もしくは付記項２に記載の外科用処置具の操作部を操作して、縫合糸をそれぞれの基端部に備えて互いに接続した任意の湾曲度合を有する湾曲針を処置部で把持して被移植血管（左前下行枝）の吻合口に移植血管（内胸動脈）の吻合口を吻合する外科用処置具を術部の上方で操作して行う血管吻合手術方法であって、
前記湾曲針の先端部が前記被移植血管および／もしくは移植血管の吻合口近傍の内壁部に向かうように、操作部を左右方向に回動操作して処置部を操作部に対して反対側方向に回動させて湾曲針の先端部を前記被移植血管および／もしくは移植血管の吻合口近傍の内壁部に刺し入れて、２つの湾曲針の先端部を被移植血管および移植血管のそれぞれの吻合口の内壁部から延出し、
前記湾曲針同士を接続する縫合糸に沿って前記被移植血管および移植血管の吻合口同士を一致させて前記被移植血管および移植血管の吻合位置を規定し、
操作部を左右方向の最大回動位置に回動させて、処置部の操作部に対して反対側方向の回動角度を最大回動位置に回動させて湾曲針の先端部を前記被移植血管もしくは移植血管の吻合口近傍の外壁部から内側に向かうように位置させ、
操作部を左右方向の最大回動位置から反対側方向に向かって回動させて、操作部を左方向の最大回動位置と右方向の最大回動位置との間の中間位置に戻して処置部を左右方向の回動位置から反対側方向に向かって回動させて湾曲針の先端部を前記被移植血管もしくは移植血管の吻合口近傍の外壁部に刺し入れるとともに、湾曲針の先端部を前記被移植血管および移植血管のいずれか一方に湾曲針が刺された以外の血管の内壁部から外側に向かって刺し入れ、
前記操作部を開閉操作して処置部を開き、湾曲針を処置部から解放し、
操作部を最大回動位置と中間位置との間の任意の位置に回動させて処置部を最大回動位置と中間位置との間に位置させ、
湾曲針の先端部が処置部で把持していた方向と同一の方向を向くように操作部を開閉操作して湾曲針の先端側を処置部で再把持し、
操作部を反対側方向の最大回動位置に回動させて、処置部を操作部に対して反対側方向の最大回動位置に回動させて、湾曲針の基端部を前記被移植血管および移植血管の吻合口近傍から抜き取って糸を通し、
前記被移植血管および移植血管の吻合口同士を前記湾曲針を延出した位置から時計回り方向もしくは反時計回り方向に順次縫合する。
【０１２８】
（付記項１０）　付記項１もしくは付記項２に記載の外科用処置具の操作部を操作して、処置部に糸を有する任意の湾曲度合を有する湾曲針を把持させて被移植血管（左前下行枝）の吻合口に移植血管（内胸動脈）の吻合口を吻合する外科用処置具を術部の側方で操作して行う血管吻合手術方法であって、
前記湾曲針の先端部が前記被移植血管および／もしくは移植血管の吻合口近傍の内壁部に向かうように、操作部を左右方向に回動操作して処置部を操作部に対して反対側方向に回動させて湾曲針の先端部を前記被移植血管および／もしくは移植血管の吻合口近傍の内壁部に刺し入れて、２つの湾曲針の先端部を被移植血管および移植血管のそれぞれの吻合口の内壁部から延出し、
前記湾曲針同士を接続する縫合糸に沿って前記被移植血管および移植血管の吻合口同士を一致させて前記被移植血管および移植血管の吻合位置を規定し、
操作部を左右方向の最大回動位置に回動させて、処置部の操作部に対して反対側方向の回動角度を最大回動位置に回動させて湾曲針の先端部を前記被移植血管もしくは移植血管の吻合口近傍の内壁部から外側に向かうように位置させ、
操作部を左右方向の最大回動位置から反対側方向に向かって回動させて、操作部を左方向の最大回動位置と右方向の最大回動位置との間の中間位置に戻して処置部を左右方向の回動位置から反対側方向に向かって回動させて湾曲針の先端部を前記被移植血管もしくは移植血管の吻合口近傍の内壁部に刺し入れるとともに、湾曲針の先端部を前記被移植血管および移植血管のいずれか一方に湾曲針が刺された以外の血管の外壁部から内側に向かって刺し入れ、
前記操作部を開閉操作して処置部を開き、湾曲針を処置部から解放し、
操作部を最大回動位置と中間位置との間の任意の位置に回動させて処置部を最大回動位置と中間位置との間に位置させ、
湾曲針の先端部が処置部で把持していた方向と同一の方向を向くように操作部を開閉操作して湾曲針の先端側を処置部で再把持し、
操作部を反対側方向の最大回動位置に回動させて、処置部を操作部に対して反対側方向の最大回動位置に回動させて、湾曲針の基端部を前記被移植血管および移植血管の吻合口近傍から抜き取って糸を通し、
前記被移植血管および移植血管の吻合口同士を前記湾曲針を延出した位置から時計回り方向もしくは反時計回り方向に順次縫合して、前記被移植血管および移植血管の略半周を縫合し、
操作部を左右方向の最大回動位置に回動させて、処置部の操作部に対して反対側方向の回動角度を最大回動位置に回動させて湾曲針の先端部を前記被移植血管もしくは移植血管の吻合口近傍の外壁部から内側に向かうように位置させ、
操作部を左右方向の最大回動位置から反対側方向に向かって回動させて、操作部を中間位置に戻して処置部を左右方向の回動位置から反対側方向に向かって回動させて湾曲針の先端部を前記被移植血管もしくは移植血管の吻合口近傍の外壁部に刺し入れるとともに、湾曲針の先端部を前記被移植血管および移植血管のいずれか一方に湾曲針が刺された以外の血管の内壁部から外側に向かって刺し入れ、
前記操作部を開閉操作して処置部を開き、湾曲針を処置部から解放し、
操作部を最大回動位置と中間位置との間の任意の位置に回動させて処置部を最大回動位置と中間位置との間に位置させ、
湾曲針の先端部が処置部で把持していた方向と同一の方向を向くように操作部を開閉操作して湾曲針の先端側を処置部で再把持し、
操作部を反対側方向の最大回動位置に回動させて、処置部を操作部に対して反対側方向の最大回動位置に回動させて、湾曲針の基端部を前記被移植血管および移植血管の吻合口近傍から抜き取って糸を通し、
前記被移植血管および移植血管の吻合口同士を前記湾曲針を延出した位置から時計回り方向もしくは反時計回り方向に順次縫合して、前記被移植血管および移植血管の残りの略半周を縫合する。
【０１２９】
（付記項１１）　前記処置部の開閉操作により目的対象を把持可能な互いに対向した把持面対を備え、この把持面対の一方の把持面は凸面円筒状であり、他方の把持面は凹面円筒状に形成されていることを特徴とする付記項１ないし付記項６のいずれか１に記載の外科用処置具。
【０１３０】
（付記項１２）　前記処置部の開閉操作により目的対象を把持可能な互いに対向した把持面対を備え、この把持面対の両方の把持面はそれぞれ凸面円筒状に形成されていることを特徴とする付記項１ないし付記項６のいずれか１に記載の外科用処置具。
【０１３１】
（付記項１３）　前記把持面には、放電加工またはエッチングにより表面が微細に荒らされていることを特徴とする付記項１１もしくは付記項１２に記載の外科用処置具。
【０１３２】
（付記項１４）　前記把持面は、超硬素材からなり、ローレット目が形成されていることを特徴とする付記項１１もしくは付記項１２に記載の外科用処置具。
【０１３３】
（付記項１５）　前記把持面には、ダイヤモンド、ルビー、サファイアなどの微小粒が吹き付けられて微細な粗面が形成されていることを特徴とする付記項１１もしくは付記項１２に記載の外科用処置具。
【０１３４】
（付記項１６）　前記把持面の先端部には、略球形部が形成されていることを特徴とする付記項１１ないし付記項１５のいずれか１に記載の外科用処置具。
【０１３５】
【発明の効果】
以上説明したように、この発明によれば、操作性を向上させて手技時間を短縮することができる外科用処置具を提供することができる。
【図面の簡単な説明】
【図１】処置部を上方に上げた状態の第１の実施の形態にかかる外科用処置具の側面図。
【図２】図１に示す外科用処置具の処置部を上方から見た斜視図。
【図３】図１に示す外科用処置具の処置部を下方から見た斜視図。
【図４】外科用処置具の処置部の処置片が開いた状態を上方から見た斜視図。
【図５】図１に示す外科用処置具の操作部を下方から見た斜視図。
【図６】ハンドルのカバーを外した状態で図１に示す外科用処置具の操作部を下方から見た斜視図。
【図７】ハンドルのカバーを外した状態で図１に示す外科用処置具の操作部を上方から見た斜視図。
【図８】（Ａ）はハンドルを下方に回動させて処置部を上方に回動させたことを示す側面図、（Ｂ）は（Ａ）の状態からハンドルを上方に回動させて処置部を挿入部の軸方向に対して水平にしたことを示す側面図。
【図９】（Ａ）は第１の実施の形態にかかる外科用処置具のハンドルおよび処置部を上下方向に回動させたときの概略的な上面図、（Ｂ）は（Ａ）に示す外科用処置具のハンドルを左側に最大に回動して処置部を右側に最大に回動させた状態を示す概略的な上面図。
【図１０】第２の回動板と第２および第３の駆動棒との接続状態を示す概略的な上面図。
【図１１】第１の実施の形態にかかるトロッカーを介して術部の上方向からアプローチさせた外科用処置具を示す概略図。
【図１２】心臓がある部位の胸部を下側から見た断面図。
【図１３】心臓と剥離後の内胸動脈との位置関係を示すとともに、左前下行枝を切開して手術を行うことを説明する概略図。
【図１４】（Ａ）ないし（Ｃ）は、内視鏡下で行う血管吻合手技の流れを示す概略図。
【図１５】（Ａ）ないし（Ｃ）は、内視鏡下で行う血管吻合手技の流れを示す概略図。
【図１６】（Ａ）ないし（Ｄ）は、内視鏡下で行う血管吻合手技の流れを示す概略図。
【図１７】（Ａ）ないし（Ｃ）は、内視鏡下で行う血管吻合手技の流れを示す概略図。
【図１８】図１４（Ａ）に示す手技を説明する図であって、（Ａ）および（Ｂ）は湾曲針を内胸動脈の内壁部から外側に向かって刺し入れることを説明する概略図、（Ｃ）および（Ｄ）は刺し入れた湾曲針を内胸動脈から抜く操作を説明する概略図。
【図１９】図１４（Ｂ）に示す手技を説明する図であって、（Ａ）および（Ｂ）は湾曲針を左前下行枝の外壁部から内側に向かって刺し入れることを説明する概略図、（Ｃ）および（Ｄ）は刺し入れた湾曲針を左前下行枝から抜く操作を説明する概略図。
【図２０】図１４（Ｃ）に示す手技を説明する図であって、（Ａ）および（Ｂ）は湾曲針を内胸動脈の内壁部から外側に向かって刺し入れることを説明する概略図、（Ｃ）および（Ｄ）は刺し入れた湾曲針を内胸動脈から抜く操作を説明する概略図。
【図２１】図１５（Ａ）に示す手技を説明する図であって、（Ａ）および（Ｂ）は湾曲針を左前下行枝の外壁部から内側に向かって刺し入れることを説明する概略図、（Ｃ）および（Ｄ）は刺し入れた湾曲針を左前下行枝から抜く操作を説明する概略図。
【図２２】図１６（Ａ）に示す手技を説明する図であって、（Ａ）ないし（Ｃ）は湾曲針を内胸動脈の外壁部から内側に向かって刺し入れるとともに左前下行枝の内壁部から外側に向かって刺し入れることを説明する概略図。
【図２３】図１６（Ａ）に示す手技を説明する図であって、（Ａ）および（Ｂ）は、図２２（Ｃ）で刺し入れた湾曲針を内胸動脈および左前下行枝から抜く操作を説明する概略図。
【図２４】図１６（Ｃ）に示す手技を説明する図であって、（Ａ）ないし（Ｃ）は湾曲針を内胸動脈の外壁部から内側に向かって刺し入れるとともに左前下行枝の内壁部から外側に向かって刺し入れることを説明する概略図。
【図２５】図１６（Ｃ）に示す手技を説明する図であって、（Ａ）および（Ｂ）は、図２４（Ｃ）で刺し入れた湾曲針を内胸動脈および左前下行枝から抜く操作を説明する概略図。
【図２６】第２の実施の形態にかかる外科用処置具であって、（Ａ）は外科用処置具のハンドルおよび処置部を上下方向に回動したときの概略的な上面図、（Ｂ）は（Ａ）に示す外科用処置具のハンドルを左側に最大に回動して処置部を右側に最大に回動させた状態を示す概略的な上面図。
【図２７】外科用処置具の処置部の先端部を上方から見たときの概略的な斜視図。
【図２８】（Ａ）は心臓がある部位の胸部を下側から見た断面図を示し、トロッカーを介して術部の側方から内視鏡をアプローチさせた状態を示す概略図、（Ｂ）は心臓と剥離後の内胸動脈と、内視鏡などの処置装置との位置関係を示すとともに、左前下行枝を切開して手術を行うことを説明する概略図。
【図２９】（Ａ）ないし（Ｄ）は、内視鏡下で行う血管吻合手技の流れを示す概略図。
【図３０】（Ａ）ないし（Ｃ）は、内視鏡下で行う血管吻合手技の流れを示す概略図。
【図３１】図２９（Ｃ）に示す手技を説明する図であって、（Ａ）および（Ｂ）は湾曲針を内胸動脈の内壁部から外側に向かって刺し入れるとともに左前下行枝の外壁部から内側に向かって刺し入れることを説明する概略図、（Ｃ）および（Ｄ）は刺し入れた湾曲針を内胸動脈および左前下行枝から抜く操作を説明する概略図。
【図３２】図３０（Ａ）に示す手技を説明する図であって、（Ａ）ないし（Ｃ）は湾曲針を内胸動脈の外壁部から内側に向かって刺し入れるとともに左前下行枝の内壁部から外側に向かって刺し入れることを説明する概略図。
【図３３】図３０（Ａ）に示す手技を説明する図であって、（Ａ）および（Ｂ）は図３２（Ｃ）で刺し入れた湾曲針を内胸動脈および左前下行枝から抜く操作を説明する概略図。
【図３４】図３０（Ｂ）に示す手技を説明する図であって、（Ａ）ないし（Ｃ）は湾曲針を左前下行枝の外壁部から内側に向かって刺し入れるとともに内胸動脈の内壁部から外側に向かって刺し入れることを説明する概略図。
【図３５】図３０（Ｂ）に示す手技を説明する図であって、（Ａ）および（Ｂ）は図３４（Ｃ）で刺し入れた湾曲針を左前下行枝および内胸動脈から抜く操作を説明する概略図。
【図３６】第３の実施の形態にかかる外科用処置具の処置部の処置片が開いた状態を上方から見た斜視図。
【図３７】外科用処置具の処置部の処置片が開いた状態を上方から見た斜視図。
【図３８】（Ａ）は従来の技術にかかる外科用処置具の処置部の処置片で湾曲針を把持した状態を示す概略的な側面図、（Ｂ）は図３７に示す外科用処置具の処置部の処置片で湾曲針を把持した状態を示す概略的な側面図。
【図３９】外科用処置具の処置部の処置片の変形例であって、これらの処置片で湾曲針を把持した状態を示す概略的な側面図。
【図４０】（Ａ）および（Ｂ）は外科用処置具の処置部の処置片の変形例であって、これらの処置片で湾曲針を把持した状態を示す概略的な側面図。
【図４１】（Ａ）は従来の技術にかかる外科用処置具のハンドルおよび処置部を上下方向に回動したときの概略的な上面図、（Ｂ）は（Ａ）に示す外科用処置具のハンドルを左側に最大に回動して処置部を右側に最大に回動させた状態を示す概略的な上面図。
【図４２】（Ａ）ないし（Ｃ）は従来の技術にかかる内視鏡下で行う血管吻合手技の流れを示す概略図。
【符号の説明】
１…外科用処置具、２…挿入部、３…処置部、４…操作部、６…第２の駆動棒、７…第３の駆動棒、２１…第２の回動板、２２…第１の回転ピン、２３…第２の回転ピン、３７…第１のハンドル、３８…第２の開閉枢支ピン、３９…第２のハンドル、４６…第４の回動板、４７…第３の回動ピン、４８…第４の回動ピン、６０…第１の突き当て面、６１…第２の突き当て面、６４…左前下行枝（冠状動脈）、６７…硬性鏡（内視鏡）、７０…内胸動脈、７１…切開口（吻合口）、７３…第１の湾曲針、７４…第２の湾曲針、７５…縫合糸
【図１】
2004016662.tif 000003
【図２】
2004016662.tif 000004
【図３】
2004016662.tif 000005
【図４】
2004016662.tif 000006
【図５】
2004016662.tif 000007
【図６】
2004016662.tif 000008
【図７】
2004016662.tif 000009
【図８】
2004016662.tif 000010
【図９】
2004016662.tif 000011
【図１０】
2004016662.tif 000012
【図１１】
2004016662.tif 000013
【図１２】
2004016662.tif 000014
【図１３】
2004016662.tif 000015
【図１４】
2004016662.tif 000016
【図１５】
2004016662.tif 000017
【図１６】
2004016662.tif 000018
【図１７】
2004016662.tif 000019
【図１８】
2004016662.tif 000020
【図１９】
2004016662.tif 000021
【図２０】
2004016662.tif 000022
【図２１】
2004016662.tif 000023
【図２２】
2004016662.tif 000024
【図２３】
2004016662.tif 000025
【図２４】
2004016662.tif 000026
【図２５】
2004016662.tif 000027
【図２６】
2004016662.tif 000028
【図２７】
2004016662.tif 000029
【図２８】
2004016662.tif 000030
【図２９】
2004016662.tif 000031
【図３０】
2004016662.tif 000032
【図３１】
2004016662.tif 000033
【図３２】
2004016662.tif 000034
【図３３】
2004016662.tif 000035
【図３４】
2004016662.tif 000036
【図３５】
2004016662.tif 000037
【図３６】
2004016662.tif 000038
【図３７】
2004016662.tif 000039
【図３８】
2004016662.tif 000040
【図３９】
2004016662.tif 000041
【図４０】
2004016662.tif 000042
【図４１】
2004016662.tif 000043
【図４２】
2004016662.tif 000044